(57)【要約】【課題】床上又はその近辺で使用する電気器具にとって便利なコンセント付きキャビネットの提供。【解決手段】コンセント５を備えたキャビネット１において、キャビネット本体２の蹴込み部３を形成する幅木４に、幅木４の表側Ｄから差し込み使用できるコンセント５を設けたこと。【効果】コンセント５にプラグを接続したとき、床Ｆまで垂れ下がるコードの垂れ下げ寸法を短く又は無くすことができるので、従来の垂れ下げ寸法の長い邪魔なコードの部分を生じさせることなく使い勝手を向上できる。【選択図】図１
2005040369.tif 000002
【特許請求の範囲】
【請求項１】
コンセントを備えたキャビネットにおいて、キャビネット本体の蹴込み部を形成する幅木に、幅木の表側から差し込み使用できるコンセントを設けたことを特徴するコンセント付きキャビネット。
【請求項２】
コンセントを備えたキャビネットにおいて、キャビネット本体の蹴込み部を形成する幅木の表面側に、漏電防止プラグ格納用の格納部を凹設し、該格納部に、幅木の表側から差し込み使用できるコンセントを設けたことを特徴するコンセント付きキャビネット。
【請求項３】
コンセントを備えたキャビネットにおいて、キャビネット本体の蹴込み部を形成する幅木に挿通孔を設け、該幅木の裏側に電気コードリールを配置し、該電気コードリールの引出し又は引込み自在なコードを該挿通孔へ挿通させ、該幅木の表側に配したコンセントを該コードに接合したことを特徴するコンセント付きキャビネット。
【請求項４】
前記キャビネット本体の底部に配線用空間を形成し、該配線用空間の開口部を、前記キャビネットに対して着脱可能とした前記幅木で覆った請求項１，２又は３記載のコンセント付きキャビネット。
【発明の詳細な説明】
【技術分野】
【０００１】
本発明は、コンセント付きキャビネットに関するものである。
【背景技術】
【０００２】
台所や洗面所に設置するキャビネットには、電気器具のプラグを接続するためのコンセントを備え、使用者の便宜を図ったものがある。コンセントの取付け位置は、使用者の腰の高さ位置の近辺にすることで、プラグの抜き差しが楽にできると共に、腰の高さ位置の近辺で電気器具を使用しやすくしてある。
【特許文献１】特開平０８−２８９８２０号公報
【特許文献２】特開２００３−５２４６７号公報
【０００３】
しかし、腰高さ位置近辺のコンセントに、床上又はその近辺で使用する電気器具（例えば、掃除機，電気保温カーペット等）のプラグを接続することは、コンセントから床まで電気コードが垂れ下がることがあり、却って使い難くなる問題があった。
【発明の開示】
【発明が解決しようとする課題】
【０００４】
本発明は、上記問題を解決するために、床上又はその近辺で使用する電気器具にとって便利なコンセント付きキャビネットを提供することである。
【課題を解決するための手段】
【０００５】
請求項１記載の本発明が採用した手段は、コンセントを備えたキャビネットにおいて、キャビネット本体の蹴込み部を形成する幅木に、幅木の表側から差し込み使用できるコンセントを設けたことを特徴するコンセント付きキャビネットである。
本発明にあっては、コンセントに接続したプラグから床まで垂れ下がるコードの垂れ下げ寸法を短く又は無くすことができる。
【０００６】
請求項２記載の本発明が採用した手段は、コンセントを備えたキャビネットにおいて、キャビネット本体の蹴込み部を形成する幅木の表面側に、漏電防止プラグ格納用の格納部を凹設し、該格納部に、幅木の表側から差し込み使用できるコンセントを設けたことを特徴するコンセント付きキャビネットである。
本発明にあっては、格納部に格納しつつコンセントに漏電防止プラグを接続したとき、漏電防止プラグから延長して床まで垂れ下がるコードの垂れ下げ寸法を短く又は無くすことができると共に、幅木の表面側へ突出する漏電防止プラグの突出寸法を短く又は無くすることができる。
【０００７】
請求項３記載の本発明が採用した手段は、コンセントを備えたキャビネットにおいて、キャビネット本体の蹴込み部を形成する幅木に挿通孔を設け、該幅木の裏側に電気コードリールを配置し、該電気コードリールの引出し又は引込み自在なコードを該挿通孔へ挿通させ、該幅木の表側に配したコンセントを該コードに接合したことを特徴するコンセント付きキャビネットである。
本発明にあっては、電気コードリールから引出したコンセント付きコードを、垂れ下げ寸法を短く又は無くして床上に導くことができると共に、コードの引出し長さを調節できる。
【０００８】
請求項４記載の本発明が採用した手段は、前記キャビネット本体の底部に配線用空間を形成し、該配線用空間の開口部を、前記キャビネットに対して着脱可能とした前記幅木で覆った請求項１，２又は３記載のコンセント付きキャビネットである。
本発明にあっては、幅木を取り外すことにより、配線用空間を開口して配線を行うことができる。
【発明の効果】
【０００９】
請求項１，２及び３記載の本発明は、コンセントにプラグを接続したとき、床まで垂れ下がるコードの垂れ下げ寸法を短く又は無くすことができるので、従来の垂れ下げ寸法の長い邪魔なコードの部分を生じさせることなく使い勝手を向上できる。
【００１０】
請求項２記載の本発明は、漏電防止プラグの突出寸法を短く又は無くすることができるので、キャビネットが設置された部屋を、漏電防止プラグと衝突することなく広く使用できるようになる。
【００１１】
請求項３記載の本発明は、電気器具の使用状況に応じてコードの長さを調節できるので、邪魔なコードの部分を生じさせることなく使い勝手を向上できる。
【００１２】
請求項４記載の本発明は、配線用空間を開口できるので、コンセントの配線と建物側配線との結線作業や点検作業等が楽にできる。
【発明を実施するための最良の形態】
【００１３】
本発明に係るコンセント付きキャビネット（以下、「本発明キャビネット」と言う。）を図面に示す実施形態に基づいて説明する。
【００１４】
（第１の実施の形態）
図１は本発明キャビネットの第１の実施の形態を示すものであり、（Ａ）は本発明キャビネットを備えた台所設備の正面図、（Ｂ）は（Ａ）の二点鎖線で囲まれた幅木の部分を拡大して示す正面図、（Ｃ）は（Ｂ）のｃ−ｃ線で断面した断面図である。
【００１５】
本発明キャビネット１は、キャビネット本体２の蹴込み部３を形成する幅木４に、幅木４の表側（キャビネット１を使用する側）Ｄから差し込み使用できるコンセント５を設けてある。本実施の形態に係る本発明キャビネット１は、台所設備９の流し台を構成するものであり、キャビネット本体２の上部にシンク１０を取り付けてある。なお、台所設備９は、流し台１以外に、調理台７，コンロ台８及びテーブル６等を備えている。前記コンセント５を設けるキャビネット１は、流し台に限定するものではなく、調理台７、コンロ台８又は対面カウンター台（図示略）とすることも勿論可能である。
【００１６】
本発明キャビネット１は、キャビネット本体２の底部に配線用空間Ｓを形成してある。配線用空間Ｓは、底板１５と幅木４で覆われ、幅木４を取り外すことで表側Ｄを臨むように開口する。幅木４は、キャビネット本体２に対して着脱可能となっており、表側Ｄからビス１３で取り付け固定するか、キャビネット本体２と幅木４の間に配置した着脱自在な連結具（図示略）で連結してある。
【００１７】
前記コンセント５は、キャビネット本体２に対して幅木４を取り付ける前に、開口している配線用空間Ｓを利用して、建物側配線１１にコネクター１２を介し又は介することなく結線してある。建物側配線１１は、建物壁Ｗ又は床Ｆを介して配線用空間Ｓへ導かれる。なお、建物側に既設コンセントがある場合（例えば、リフォームの場合）には、既設コンセントと幅木４のコンセント５とを配線用空間Ｓを利用して結線する。
【００１８】
前記コンセント５は、既設のキャビネット本体２に備えられている幅木４に対して取り付けることもある。この場合には、図示は省略したが、先ず、幅木４にコンセント取付用開口部を開設し、次に、建物側配線１１を、キャビネット本体２の底板に開設した挿通孔、配線用空間Ｓ及び幅木４のコンセント取付け用開口部を介してキャビネット本体２の外側へ導き出してコンセント５と結線し、最後に、建物側配線１１を配線用空間Ｓへ押し込むと共に幅木４のコンセント取付用開口部に表側Ｄからコンセント５を取り付ける。新設のキャビネット本体２の場合には、製造工場において、幅木４にコンセント５が取り付けられる。
【００１９】
本発明キャビネット１は、床Ｆ又はその近辺で使用する電気器具（例えば、掃除機，電気保温カーペット等）のプラグをコンセント５に接続したとき、プラグから床Ｆまで垂れ下がるコードの垂れ下げ寸法を短く又は無くすことができるため、従来の垂れ下げ寸法の長い邪魔なコードの部分を生じさせることなく使い勝手を向上できる。また、本発明キャビネット１は、着脱自在な幅木４で覆う前の開口した配線用空間Ｓを利用することで、コンセント５の配線作業が楽にできる、更に、幅木４で覆った後であっても、幅木４を着脱することで、配線の点検作業等が楽にできる。
【００２０】
（第２の実施の形態）
図２は本発明キャビネットの第２の実施の形態を示すものであり、（Ａ）は本発明キャビネットを備えた便所設備を示すものであって、便器本体の一部を切欠いた斜視図、（Ｂ）は幅木の部分を拡大して示す正面図、（Ｃ）は（Ｂ）のｃ−ｃ線で断面した断面図である。
【００２１】
本発明キャビネット２１は、キャビネット本体２２の蹴込み部２３を形成する幅木２４の表側Ｄに、漏電防止プラグ格納用の格納部２６を凹設すると共に、格納部２６の奥側にコンセント２５を設け、表側（キャビネット２１を使用する側）Ｄから漏電防止プラグ３１を差し込み使用できるようにしてある。本実施の形態に係る本発明キャビネット２１は、便所設備３０の収納用キャビネットを構成するものであり、キャビネット本体２２の上部にカウンター２８を取り付けてある。便所設備３０は、収納用キャビネット２１以外に、手洗い器２７，カウンター２８等を備えている。
【００２２】
本発明キャビネット２１は、キャビネット本体２２の底部に配線用空間Ｓを形成してある。配線用空間Ｓは、底板３５と幅木２４で覆われ、幅木２４を取り外すことで表側Ｄを臨むように開口する。幅木２４は、キャビネット本体２２に対して着脱可能となっており、表側Ｄからビス１３で取り付け固定するか、キャビネット本体２２と幅木２４の間に配置した着脱自在な連結具（図示略）で連結してある。
【００２３】
前記幅木２４に設けた格納部２６は、表側Ｄが開口しており、表側Ｄから挿入した漏電防止プラグ３１を、コンセント２５に差し込み連結できるようにすると共に、漏電防止プラグ３１の全部又は一部を格納できる大きさとなっている。漏電防止プラグ３１は、便器本体３２に備えられる局部洗浄装置３３に用いられる。コンセント２５には、必要に応じてアース用端子を備えている。
【００２４】
前記コンセント２５は、キャビネット本体２２に対して幅木２４を取り付ける前に、開口している配線用空間Ｓを利用して、建物側配線１１にコネクター１２を介し又は介することなく結線してある。建物側配線１１は、建物壁Ｗ又は床Ｆを介して配線用空間Ｓへ導かれる。なお、建物側に既設コンセントがある場合（例えば、リフォームの場合）には、既設コンセントと幅木２４のコンセント２５とを配線用空間Ｓを利用して結線する。
【００２５】
本発明キャビネット２１は、コンセント２５に漏電防止プラグ３１を接続したとき、プラグ３１から床Ｆまで垂れ下がるコードの垂れ下げ寸法を短く又は無くすことができるため、従来の垂れ下げ寸法の長い邪魔なコードの部分を生じさせることなく使い勝手を向上できる。また、本発明キャビネット２１は、幅木２４で覆う前の開口した配線用空間Ｓを利用することで、コンセントの配線作業が楽にできる、更に、幅木２４で覆った後であっても、幅木２４を着脱することで、配線の点検作業等が楽にできる。また、本発明キャビネット２１は、漏電防止プラグ３１の突出寸法を短く又は無くすることができるので、キャビネット本体２２が設置された部屋を、漏電防止プラグ３１と衝突することなく広く使用できるようになる。殊に、狭い便所の場合には、使用空間を広く確保するのに有効である。
【００２６】
（第３の実施の形態）
図３は本発明キャビネットの第３の実施の形態を示すものであり、（Ａ）は幅木の部分を拡大して示す正面図、（Ｂ）は（Ａ）のｂ−ｂ線で断面した断面図である。
【００２７】
本発明キャビネット４１は、キャビネット本体４２の蹴込み部４３を形成する幅木４４に挿通孔４８を設け、幅木４４の裏側に電気コードリール４６を配置し、電気コードリール４５から引出し又は引込み自在なコード４７を挿通孔４８へ挿通させ、幅木４４の表側（キャビネット４１を使用する側）Ｄに配したコンセント４５をコード４７に接合してある。本実施の形態に係る本発明キャビネット４１は、前記第１の実施の形態と同様に、流し台等を構成するものである。
【００２８】
本発明キャビネット４１は、キャビネット本体４２の底部に配線用空間Ｓを形成してある。配線用空間Ｓは、底板５５と幅木４４で覆われ、幅木４４を取り外すことで表側Ｄを臨むように開口する。幅木４４は、キャビネット本体４２に対して着脱可能となっており、表側Ｄからビス１３で取り付け固定するか、キャビネット本体４２と幅木４４の間に配置した着脱自在な連結具（図示略）で連結してある。
【００２９】
前記電気コードリール４６は、コード４７を巻取り又は巻出すための巻付けリール（図示略）を備え、巻付けリールから引き出せるコード４７の長さを任意とすることができるようにストツパーを備えている。電気コードリール４６は、幅木４４に接合して幅木４４と一体化することで、キャビネット本体４２に対する組込み作業等が容易にできるようになっている。なお、電気コードリール４６は、幅木４４と一体化することなく、キャビネット本体４２又は床Ｆに接合して固定することもある。
【００３０】
前記電気コードリール４６は、キャビネット本体４２に対して幅木４４を取り付ける前に、開口している配線用空間Ｓを利用して、建物側配線１１にコネクター１２を介し又は介することなく結線してある。建物側配線１１は、建物壁Ｗ又は床Ｆを介して配線用空間Ｓへ導かれる。なお、建物側に既設コンセントがある場合（例えば、リフォームの場合）には、既設コンセントと電気コードリール４６とを配線用空間Ｓを利用して結線する。
【００３１】
本発明キャビネット４１は、電気コードリール４６から引出したコンセント付きコード４７を床Ｆ上に導くことができると共に、コード４７の長さを調節できるので、床Ｆ上又はその近辺で使用する電気器具（例えば、掃除機，電気保温カーペット等）のプラグをコンセント４５に接続したとき、プラグから床Ｆまで垂れ下がるコードの垂れ下げ寸法を無くすことができるため、従来の垂れ下げ寸法の長い邪魔なコードの部分を生じさせることなく使い勝手を向上できる。また、電気器具（例えば、掃除機）のコードの長さが足りないときには、電気コードリール４６からコード４７を適宜長さ引き出すことで、本発明キャビネット４１から離れた位置まで電気器具を移動させることができる。更に、本発明キャビネット４１は、幅木４４で覆う前の開口した配線用空間Ｓを利用することで、電気ヒコードリール４６の配線作業が楽にできる、また、幅木４４で覆った後であっても、幅木４４を着脱することで、配線や電気コードリール４６の点検作業等が楽にできる。
【図面の簡単な説明】
【００３２】
【図１】本発明キャビネットの第１の実施の形態を示すものであり、（Ａ）は本発明キャビネットを備えた台所設備の正面図、（Ｂ）は幅木の部分を拡大して示す正面図、（Ｃ）は（Ｂ）のｃ−ｃ線で断面した断面図である。
【図２】本発明キャビネットの第２の実施の形態を示すものであり、（Ａ）は本発明キャビネットを備えた便所設備を示すものであって、便器本体の一部を切欠いた斜視図、（Ｂ）は幅木の部分を拡大して示す正面図、（Ｃ）は（Ｂ）のｃ−ｃ線で断面した断面図である。
【図３】本発明キャビネットの第３の実施の形態を示すものであり、（Ａ）は幅木の部分を拡大して示す正面図、（Ｂ）は（Ａ）のｂ−ｂ線で断面した断面図である。
【符号の説明】
【００３３】
１（２１，４１）…本発明キャビネット
２（２２，４２）…キャビネット本体
３（２３，４３）…蹴込み部
４（２４，４４）…幅木
５（２５，４５）…コンセント
４６…電気コードリール
４７…コード
４８…挿通孔
【図１】
2005040369.tif 000003
【図２】
2005040369.tif 000004
【図３】
2005040369.tif 000005